【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
近接部を有する第１部材と、
末端部を有する第２部材と、
前記第１部材の近接部を前記第２部材の末端部に接続するコネクタとを有し、
前記コネクタはポリマーを含む材料から作製され、前記コネクタは第１部材を第２部材へ柔軟に接続し、前記第１部材は自己拡張可能であり、第２部材は外力を加えることにより拡張可能であるステント。
【請求項２】
前記第１部材と前記第２部材はダイヤモンド型を有し、ステントの縦方向の軸に沿って相互に隣接して配置される請求項１に記載のステント。
【請求項３】
前記第１部材と前記第２部材はジグザグ型の環状のバンドを有する請求項１に記載のステント。
【請求項４】
前記コネクタはリング状の構造を有し、前記リング状構造は前記リング状構造の第１先端部で前記第１部材の近接部に連結し、前記リング状構造の第２先端部で前記第２部材の末端部に連結される請求項１に記載のステント。
【請求項５】
前記第１部材は、一般的に円筒形構造を形成するために連結された１組のダイヤモンド型の支柱と、少なくとも１つのダイヤモンド型の支柱の少なくとも１つの隅部により規定された前記第１部材の前記近接部を有し、
前記第２部材は、一般的に円筒形構造を形成するために連結された１組のダイヤモンド型の支柱と、少なくとも１つのダイヤモンド型の支柱の少なくとも１つの隅部により規定された前記第２部材の前記末端部を有する請求項１に記載のステント。
【請求項６】
前記コネクタはリング状構造によって規定され、前記リング状構造は前記リング状構造の第１先端部で前記第１部材の少なくとも１つの隅部と前記リング状構造の第２先端部で前記第２部材の少なくとも１つの隅部に連結される請求項５に記載のステント。
【請求項７】
前記コネクタは、前記第１部材の隅部が連結端子の１つにより前記第２部材の隣接した隅部に連結されるように複数の連結端子により規定される請求項５に記載のステント。
【請求項８】
前記連結端子は一般的に箱型構造を有する請求項７に記載のステント。
【請求項９】
第１リング部材と、
第２リング部材と、
第1多孔性ポリマー層と、
第２多孔性ポリマー層を有し、
前記第１リング部材は前期第２リング部材から離れて配置されており、前記第１リング部材及び前記第２リング部材は無孔ポリマー層によって単独に内包及び連結されており、前記第1リング部材は自己拡張可能であり、前記第２リング部材は外力を加えることにより拡張し、前記第1多孔性ポリマー層は前記無孔ポリマー層の第１面上に配置され、前記第2多孔性ポリマー層は前記無孔ポリマー層の第2面上に配置された移植可能な人工器官。
【請求項１０】
前記第１リング部材は移植可能な人工器官の第１先端部に配置され、前記第２リング部材は移植可能な人工器官の前記第１先端部と第２先端部の間に配置される請求項９に記載の移植可能な人工器官。
【請求項１１】
さらに自己拡張性第３リング部材を有し、前記第３リング部材は移植可能な人工器官の前記第２先端部に配置される請求項１０に記載の移植可能な人工器官。
【請求項１２】
前記無孔ポリマー層は５％以下の空隙容量の割合を有する請求項９に記載の移植可能な人工器官。
【請求項１３】
さらに前記第2多孔性ポリマー層は前記無孔ポリマー層の外側の表面に配置されており、約４０％から約９０％の空隙容量の割合を有する請求項９に記載の移植可能な人工器官。
【請求項１４】
さらにポリマー層の外表面に配置される外層を有し、前記外層は約４０％から約９０％の空隙容量の割合を有する請求項９に記載の移植可能な人工器官。
【請求項１５】
前記無孔ポリマー層は第１副層と前記第１副層に接した第２副層を有し、前記第１及び前記第２リング部材は前記第１と前記第２副層の間に存在する請求項９に記載の移植可能な人工器官。
【請求項１６】
前記第２リング部材は移植可能な人工器官の先端に位置しており、第１リング部材は移植可能な人工器官のほぼ中央に配置されている請求項９に記載の移植可能な人工器官。
【請求項１７】
前記第１および第２リング部材はジグザグ型の環状のバンドを有する請求項９に記載の移植可能な人工器官。
【請求項１８】
前記第１および第２リング部材はダイヤモンド型支柱を有する請求項９に記載の移植可能な人工器官。
【請求項１９】
第１屈曲部と第２屈曲部により規定される形を有する第１ワイヤー支柱と、
前記第１ワイヤー支柱の第１屈曲部に連結された第１コネクタと、
前記第１ワイヤー支柱の第２屈曲部に連結された第２コネクタとを有し、第１屈曲部と第２屈曲部の間の第１ワイヤー支柱の部分には第１コネクタと第２コネクタがないステント。
【請求項２０】
前記第１コネクタは、リング構造の第１側面が前記第１ワイヤー支柱の前記第１屈曲部に連結するような前記リング構造を有する請求項１９に記載のステント。
【請求項２１】
前記第１コネクタに連結された第１屈曲部を有する第２ワイヤー支柱をさらに有する請求項１９に記載のステント。
【請求項２２】
前記第１コネクタは、リング構造の第１側面が第１ワイヤー支柱の第１屈曲部に連結し、前記リング構造の反対側は第２ワイヤー支柱の第１屈曲部に連結するような前記リング構造を有する請求項２１に記載のステント。
【請求項２３】
前記ワイヤー支柱は自己拡張可能であり、前記第２支柱は外力を加えることにより拡張可能である請求項２１に記載のステント。
【請求項２４】
主軸にポリマーを有する材料から作製されるバンドを形成し、
前記バンドの第１先端部に第１部材の先端部を配置し、
前記バンドの第２先端部に第２部材の先端部を配置し、
前記第１部材を前記第２部材に柔軟に連結させるように前記第１部材の先端部と前記第２部材の先端部を包み込むためにバンドの厚さを増加させるステントの製造方法。
【請求項２５】
前記第１部材は拡張可能なチューブ状の本体を有し、前記第２部材は外力を加えることにより拡張可能なチューブ状の本体を有する請求項２４に記載の方法。
【請求項２６】
前記無孔ポリマー層は、ポリウレタン、ＰＴＦＥ、拡張したＰＴＦＥ、ポリエチレンテトラフタレート、ａｌｐｈａｔｉｃポリオキサエステル、ポリラクチド、ポリカプロラクトン、そしてヒドロゲルを含む高分子材料を有する請求項９に記載の移植可能な人工器官。
【請求項２７】
前記無孔ポリマー層は約１０ミクロンから約２００ミクロンの厚さを有する請求項９に記載の移植可能な人工器官。
【請求項２８】
前記第１リング部材もしくは前記第２リング部材は金属材料を有する請求項９に記載の移植可能な人工器官。
【請求項２９】
前記無孔ポリマー層は１％以下の空隙容量の割合を有する請求項９に記載の移植可能な人工器官。
【請求項３０】
前記第１多孔性ポリマー層は生体吸収性の材料を有する請求項９に記載の移植可能な人工器官。
【請求項３１】
前記第１多孔性ポリマー層は約１０ミクロンから約５０ミクロンの厚さを有する請求項９に記載の移植可能な人工器官。
【請求項３２】
前記第１多孔性ポリマー層は平均直径が約１ミクロンから約４００ミクロンである孔を有する請求項９に記載の移植可能な人工器官。
【請求項３３】
前記第２多孔性ポリマー層は生体吸収性の材料を有する請求項９に記載の移植可能な人工器官。
【請求項３４】
前記第２多孔性ポリマー層は約１０ミクロンから約５０ミクロンの厚さを有する請求項９に記載の移植可能な人工器官。
【請求項３５】
前記第２多孔性ポリマー層は平均直径が約１ミクロンから約４００ミクロンである孔を有する請求項９に記載の移植可能な人工器官。
【請求項３６】
外側の表面が血管壁の組織と接触する第１多孔性層と、
前記第1多孔性層に接する無孔層と、
前記無孔層に包み込まれたステントと、
前記無孔層に接する第２多孔性層から作成されるステントグラフト体を有し、
前記向無孔層は前記第1多孔性層と前記第2多孔層の間に配置され、前記第2多孔層の内側の表面がステントグラフトの縦の内径を流れる体液の流れと接触するステントグラフト。
【請求項３７】
前記第１多孔性ポリマー層は約４０％から約９０％の空隙容量の割合を有する請求項３６に記載のステントグラフト。
【請求項３８】
前記第２多孔性ポリマー層は約４０％から約９０％の空隙容量の割合を有する請求項３７に記載のステントグラフト。
【請求項３９】
前記無孔ポリマー層は約５％以下の空隙容量の割合を有する請求項３６に記載のステントグラフト。
【請求項４０】
前記無孔ポリマー層は約１％以下の空隙容量の割合を有する請求項３９に記載のステントグラフト。
【請求項４１】
前記第１多孔性ポリマー層は約４０％から約９０％の空隙容量の割合を有する請求項３９に記載のステントグラフト。
【請求項４２】
前記第２多孔性ポリマー層は約４０％から約９０％の空隙容量の割合を有する請求項４１に記載のステントグラフト。
【請求項４３】
前記ステントは自己拡張性もしくはバルーン拡張性を有する請求項３６に記載のステントグラフト。
【請求項４４】
前記ステントは自己拡張性ステントとバルーン拡張性ステントの組み合わせである請求項３６に記載のステントグラフト。
【請求項４５】
複数の独立した構造要素を有し、少なくとも２つの前記構造要素がポリマー層によって単独に互いに連結されており、少なくとも１つの前記構造要素はバルーン拡張性を有し、少なくとも１つの前記構造要素は自己拡張性を有するステント。
【請求項４６】
部材の長さ１センチメートルにつき約１から約１０個の前記構造要素を有するような長さの部材を有する請求項４５に記載のステント。
【請求項４７】
前記ポリマー層の上に多孔性ポリマー層を有する請求項４５に記載のステント。
【請求項４８】
前記構造要素は金属材料を有する
請求項４５に記載のステント。